(57)【要約】【課題】蛍光ランプの確実な保持、及び容易な脱着が可能となるランプソケット及び照明器具を提供する。【解決手段】直管蛍光管の両端付近に設けられた口金に、直管蛍光管の外側に突出するランプピンを備えた蛍光ランプを保持するランプソケット１００であって、ランプピンを挿入する孔２９を口金当接面４５に有したソケット本体１３と、ソケット本体１３の口金当接面４５と反対側の平行な背面４８に固定される基板１５と、基板１５に垂直な支持軸２３を介して中央部４９が支持され少なくとも一方が支持軸中心に回動自在となって近接させた一端部１７ａ，１９ａ同士でソケット本体１３からの口金の落下を規制する一対のく字状の挟持杆１７，１９と、一対の挟持杆１７，１９の他端部１７ｂ，１９ｂ同士の間に設けられ他端部１７ｂ，１９ｂ同士を離反方向へ付勢することで一端部１７ａ，１９ａ同士を近接方向に付勢する付勢部材２１と、を具備する。【選択図】図１
2010198782.tif 000002
【特許請求の範囲】
【請求項１】
直管蛍光管の両端付近に設けられた口金に、前記直管蛍光管の外側に突出するランプピンを備えた蛍光ランプを保持するランプソケットであって、
前記ランプピンを挿入する孔を口金当接面に有したソケット本体と、
該ソケット本体の前記口金当接面と反対側の平行な背面に固定される基板と、
該基板に垂直な支持軸を介して中央部が支持され少なくとも一方が該支持軸中心に回動自在となって近接させた一端部同士で前記ソケット本体からの前記口金の落下を規制する一対のく字状の挟持杆と、
一対の該挟持杆の他端部同士の間に設けられ該他端部同士を離反方向へ付勢することで前記一端部同士を前記近接方向に付勢する付勢部材と、
を具備することを特徴とするランプソケット。
【請求項２】
請求項１記載のランプソケットであって、
前記一端部同士の近接方向の移動により係合して前記口金の落下方向の移動を規制する係合手段が前記一端部に設けられたことを特徴とするランプソケット。
【請求項３】
請求項１又は請求項２記載のランプソケットであって、
前記口金を下方から押し付けることにより前記近接した前記一端部同士を、前記付勢部材の付勢力に抗して離反方向へ移動させるテーパー面が、前記一端部に形成されたことを特徴とするランプソケット。
【請求項４】
請求項１〜請求項３のいずれか１項に記載のランプソケットであって、
前記一対の挟持杆の双方が、前記支持軸中心に回動自在となることを特徴とするランプソケット。
【請求項５】
請求項１〜請求項４のいずれか１項に記載のランプソケットを、長尺基台の両端にそれぞれ固定し、
前記一対の挟持杆の他端部同士を前記蛍光ランプの長さ方向の範囲内に配置して前記ソケット本体に装着した前記蛍光ランプを前記ランプソケットから脱落規制して保持したことを特徴とする照明器具。
【発明の詳細な説明】
【技術分野】
【０００１】
本発明は、両端まで発光する直管蛍光ランプを保持するランプソケット、及びそのランプソケットを用いた照明器具に関し、特に、蛍光ランプ着脱構造の改良技術に関するものである。
【背景技術】
【０００２】
従来、照明器具は、管軸両端に口金の設けられた蛍光ランプをランプソケットに取り付けるものが一般的であったが、大空間を照明するときに複数の蛍光ランプを直線状に連続配置すると、発光ラインがランプソケットにより分断されて照度低下や意匠性低下を招く欠点があった。そこで、直管の蛍光管の軸方向に対して直交する方向へ一対のランプピンを突出し、両端まで発光可能とする蛍光ランプを用いた照明器具が提案されている（例えば特許文献１参照）。
【０００３】
図１０に示すように、この照明器具５００は、蛍光管５０１の軸方向両端部ではなく周面すなわち主発光面に口金５０３を固着し、この口金５０３上に主発光面に対して略直交方向に延びる２本のランプピン５０５が立設された蛍光ランプ５０７を備える。ランプソケット５０９は、蛍光ランプ５０７に対応する、ランプピン５０５が挿入するスロット５１１を備えるソケット電極部５１３と、口金５０３を保持する保持部５１５とを備える。
【０００４】
ランプソケット５０９は、底板５１７が天井等の任意の取り付け箇所に固定される照明器具本体５１９に、図示しない固定部材を介して装着され、照明器具本体５１９に装着されたランプソケット５０９に蛍光ランプ５０７を着脱可能に装着することによって照明器具５００として使用される。ランプソケット５０９の保持部５１５は、図１０（Ｂ）に示すように、蛍光ランプ５０７の口金５０３の両側に形成された凸部５２１を弾性的に保持する一対の弾性部材で形成されている。
【先行技術文献】
【特許文献】
【０００５】
【特許文献１】特開２００８−１１７６８２号公報（第９図）
【発明の概要】
【発明が解決しようとする課題】
【０００６】
しかしながら、従来の照明器具５００は、保持部５１５を設けることにより落下の危険性を回避しているが、蛍光ランプ５０７をランプソケット５０９へ押し込むだけのため、弾性部材が予期せぬ変形をした場合、或いは保持部５１５が口金５０３の凸部５２１と十分に嵌合していない場合などには落下の可能性が増大した。また、保持部５１５は、口金５０３を確実に保持するために内側への弾性力が強めに設定されているので、口金５０３と保持部５１５、すなわち蛍光ランプ５０７とランプソケット５０９の取り付けや、取り外しを容易に行なうことができなかった。さらに、蛍光ランプ５０７をランプソケット５０９から取り外す際、保持部５１５は直接掴み難く、蛍光管５０１を掴んで蛍光ランプ５０７をランプソケット５０９から引き抜くため、蛍光管５０１を破損する虞があった。
【０００７】
本発明は上記状況に鑑みてなされたもので、その目的は、蛍光ランプの確実な保持、及び容易な脱着が可能となるランプソケット及び照明器具を提供することにある。
【課題を解決するための手段】
【０００８】
本発明のランプソケットは、直管蛍光管の両端付近に設けられた口金に、前記直管蛍光管の外側に突出するランプピンを備えた蛍光ランプを保持するランプソケットであって、前記ランプピンを挿入する孔を口金当接面に有したソケット本体と、該ソケット本体の前記口金当接面と反対側の平行な背面に固定される基板と、該基板に垂直な支持軸を介して中央部が支持され少なくとも一方が該支持軸中心に回動自在となって近接させた一端部同士で前記ソケット本体からの前記口金の落下を規制する一対のく字状の挟持杆と、一対の該挟持杆の他端部同士の間に設けられ該他端部同士を離反方向へ付勢することで前記一端部同士を前記近接方向に付勢する付勢部材と、を具備する構成を有している。
【０００９】
この構成により、ソケット本体の口金当接面に設けられた孔にランプピンが挿入されて蛍光ランプが取り付けられると、一対の挟持杆の一端部同士が近接して口金のソケット本体からの落下が阻止される。つまり、蛍光ランプは、ランプピンをソケット本体に導通接続した状態でランプソケットに保持される。一対の挟持杆は、付勢部材によって一端部同士が近接配置されているので、付勢力に抗する解除操作力が加えられない限り、ソケット本体からの口金の離脱が確実に阻止される。一方、一対の挟持杆の他端部同士が付勢部材の付勢力に抗し手指によって近接方向に掴まれると、一端部同士が離反方向へ開き、口金の保持が容易に解除可能となる。
【００１０】
また、本発明のランプソケットは、請求項１記載のランプソケットであって、前記一端部同士の近接方向の移動により係合して前記口金の落下方向の移動を規制する係合手段が前記一端部に設けられた構成を有している。
【００１１】
この構成により、近接した一端部同士が、係合手段にて口金に係合し、口金の落下方向の移動が確実に規制される。係合手段としては、例えば、口金と一端部とに亘って設けられる凹凸形状、口金の両側凸条を挟持する段部等が挙げられる。これにより、単に近接により口金を両側から挟持する保持手段に比べ、振動等の外力に対する口金４３の落下防止信頼性をより向上させることができる。
【００１２】
また、本発明のランプソケットは、請求項１又は請求項２記載のランプソケットであって、前記口金を下方から押し付けることにより前記近接した前記一端部同士を、前記付勢部材の付勢力に抗して離反方向へ移動させるテーパー面が、前記一端部に形成された構成を有している。
【００１３】
この構成により、蛍光ランプの口金が一対の挟持杆の一端部同士に下方から押し付けられると、一端部同士の下面に設けられた挟持端に向かって上向きとなるテーパー面にて、一端部同士を離反させる方向の分力が発生する。この際、他端部同士は、付勢部材の付勢力に抗して近接方向に移動される。離反した一端部同士は、その間に口金を受け入れ、口金がソケット本体に当接すると、再び付勢部材の付勢力により閉じて口金の落下規制位置へと移動する。つまり、口金のワンタッチでの装着が実現する。
【００１４】
また、本発明のランプソケットは、請求項１〜請求項３のいずれか１項に記載のランプソケットであって、前記一対の挟持杆の双方が、前記支持軸中心に回動自在となる構成を有している。
【００１５】
この構成により、一方の挟持杆のみを回動自在とする構造に比べ、開閉間隔（開閉ストローク）を大きくでき、着脱操作が容易となる。また、挟入される口金に対して左右の挟持杆が均等に開くので、片掛かりや片外れが生じ難く、着脱操作が良好となる。
【００１６】
さらに、本発明の照明器具は、請求項１〜請求項４のいずれか１項に記載のランプソケットを、長尺基台の両端にそれぞれ固定し、前記一対の挟持杆の他端部同士を前記蛍光ランプの長さ方向の範囲内に配置して前記ソケット本体に装着した前記蛍光ランプを前記ランプソケットから脱落規制して保持する構成を有している。
【００１７】
この構成により、蛍光ランプを管軸方向に動かす必要がなくなり、直管蛍光管を管軸方向に連続設置でき、隣接する蛍光ランプ同士の境目をなくして、一本の光源としてつながる見栄えの良い照明を得ることができる。また、挟持杆を操作する際には蛍光ランプ越に他端部を手指（例えば親指と人差し指）で掴むので、作業中に万が一蛍光ランプが落下しても、蛍光ランプが必ず掌の中に入り、落下による蛍光ランプの破損を確実に防止できる。
【発明の効果】
【００１８】
本発明に係るランプソケットによれば、中央部が回動自在に支持され、一端部同士で口金の落下を規制する挟持杆を、ソケット本体の固定される基板に垂直な支持軸を介して設けたので、蛍光ランプの確実な保持、及び容易な脱着を可能にできる。
【００１９】
本発明に係る照明器具によれば、ランプソケットを、長尺基台の両端にそれぞれ固定し、挟持杆の他端部同士を蛍光ランプの長さ方向の範囲内に配置して蛍光ランプの脱落を規制したので、蛍光ランプの確実な保持、及び容易な脱着を可能にできるとともに、着脱時の蛍光ランプの落下を防止して安全性を高めることができる。
【図面の簡単な説明】
【００２０】
【図１】本発明の第１実施形態に係るランプソケットの斜視図
【図２】図１に示したランプソケットの分解斜視図
【図３】図２に示した挟持杆部分の斜視図
【図４】図１に示したランプソケットを備えた発明に係る照明器具の斜視図
【図５】図４に示した照明器具の分解斜視図
【図６】図５に示した蛍光ランプの斜視図
【図７】図４に示した照明器具の蛍光ランプ着脱時の要部斜視図
【図８】本発明の第２実施形態に係るランプソケットを備えた照明器具の要部斜視図
【図９】（Ａ）は図８に示したランプソケットの蛍光ランプ装着前又は脱着後を管軸方向から見た正面図、（Ｂ）はその要部拡大図
【図１０】（Ａ）は従来の照明器具の主要部斜視図、（Ｂ）は（Ａ）を管軸方向から見た正面図
【発明を実施するための形態】
【００２１】
以下、本発明の照明器具の実施形態について、図面を用いて説明する。
（第１実施形態）
図１は本発明の第１実施形態に係るランプソケットの斜視図である。
第１実施形態に係るランプソケット１００は、後述する蛍光ランプ１１（図６参照）の保持に供せられる。ランプソケット１００は、ソケット本体１３と、基板１５と、挟持杆１７，１９と、付勢部材であるコイルスプリング２１と、支持軸２３とに大別構成されてなる。
【００２２】
ソケット本体１３は、基板１５に固定される。ソケット本体１３を固定した基板１５には支持軸２３を介して一対の挟持杆１７，１９が固定される。つまり、ソケット本体１３と挟持杆１７，１９は、基板１５を介し一体となる。ランプソケット１００は、このように基板１５にソケット本体１３及び挟持杆１７，１９を備えた一体組立品として取り扱われる。直管両端に一対のランプピン２５，２５（図６参照）を備えた蛍光ランプ１１を例えば１灯装着する照明器具２００（図４参照）では、このランプソケット１００が一対使用されることとなる。
【００２３】
図２は図１に示したランプソケットの分解斜視図である。
基板１５は、強度を有する例えば短冊状の樹脂板又は金属板からなる。ランプソケット１００は、この基板１５を介して不図示のネジにて照明器具２００に固定される。基板１５に固定されるソケット本体１３は、下面（図２の下面）と一側面（管軸方向の中央側となる側面）が開放される箱状に形成され、この開放部を覆うようにしてＬ字状のカバー２７が取り付けられる。
【００２４】
カバー２７の下面には一対の孔であるピン挿入孔２９，２９が形成され、それぞれのピン挿入孔２９，２９は管軸Ｇ（図６参照）に沿う長穴となる。ピン挿入孔２９，２９は、管軸Ｇを挟み平行となるように離間配置される。ソケット本体１３内にはそれぞれのピン挿入孔２９，２９に対応して導電板３１，３１が配置される。導電板３１は、一対の対向挟持板３３ａ，３３ａを形成した電気接触部３３と、電気接触部３３を起立する底板３５と、電線導体を保持する導体接続部３７とを有する。導電板３１は、これら各部位が、金属板を板金加工して一体成形される。
【００２５】
ソケット本体１３の管軸Ｇに沿う方向の端部側となる側面３９には一対の電線挿入孔４１，４１が形成され、電線挿入孔４１は挿入された不図示の電線を導体接続部３７へ導入する。導体接続部３７には抜け止め片３７ａが設けられ、抜け止め片３７ａは挿入された電線導体の抜けを規制する。導電板３１，３１は、不図示の係止手段によりソケット本体１３に固定される。また、カバー２７も不図示の係止手段によりソケット本体１３に装着される。
【００２６】
ソケット本体１３は、蛍光ランプ１１のランプピン２５，２５がピン挿入孔２９，２９に挿入されることで、それぞれのランプピン２５，２５を対向挟持板３３ａ，３３ａにて挟持する。これにより、導体接続部３７に接続された電線とランプピン２５，２５とが導通される。ソケット本体１３は、カバー２７のピン挿入孔２９，２９の形成される下面が、後述する蛍光ランプ１１の口金４３（図６参照）が当接する口金当接面４５となる。つまり、ランプソケット１００は、ピン挿入孔２９，２９にランプピン２５，２５を挿入し、口金当接面４５に口金４３を当接した状態で蛍光ランプ１１を保持する。
【００２７】
ソケット本体１３は、口金当接面４５と反対側の平行な背面４８（図１参照）に、基板１５が固定されている。したがって、ピン挿入孔２９，２９に対するランプピン２５，２５の挿入方向は、基板１５に垂直な方向となる。基板１５の下面には支持軸２３が垂直に固定され、支持軸２３は一対の挟持杆１７，１９を支持する。
【００２８】
図３は図２に示した挟持杆部分の斜視図である。
挟持杆１７，１９は、それぞれが外側に開いたく字状に形成され、支持軸２３を介して双方の中央部４９が支持される。中央部４９には基板１５に垂直な中心５１の軸孔５３が穿設され、軸孔５３は支持軸２３に固定される固定ピン５５（図１参照）を挿入する。挟持杆１７，１９は、少なくとも一方が固定ピン５５を介して支持軸２３中心で回動自在となり、近接させた一端部１７ａ，１９ａ同士でソケット本体１３からの口金４３の落下を規制する。
【００２９】
一対の挟持杆１７，１９の他端部１７ｂ，１９ｂ同士の間には、コイルスプリング２１が設けられる。コイルスプリング２１は、他端部１７ｂ，１９ｂ同士を離反方向（図３の矢印ａ方向）へ付勢することで、一端部１７ａ，１９ａ同士を近接方向（図３の矢印ｂ方向）に付勢する。
【００３０】
本実施の形態において、挟持杆１７，１９は、一対の双方が、支持軸２３の中心で回動自在となる。これにより、一方の挟持杆１７（又は１９）のみを回動自在とする構造に比べ、開閉間隔（開閉ストローク）を大きくでき、着脱操作が容易となっている。また、挟入される口金４３に対して左右の挟持杆１７，１９が均等に開くので、片掛かりや片外れが生じ難く、着脱操作が良好となっている。
【００３１】
挟持杆１７，１９の一端部１７ａ，１９ａのそれぞれには係合手段５７が形成され、係合手段５７は一端部１７ａ，１９ａ同士の近接方向（矢印ｂの逆方向）の移動により係合して口金４３の落下方向の移動を規制する。係合手段５７としては、例えば、口金４３と一端部１７ａ，１９ａとに亘って設けられる凹凸形状（図示せず）、口金４３の両側凸条５９，５９（図６参照）を挟持する段部６１，６１等が挙げられる。段部６１の係合構造とすることにより、単に近接により口金４３を両側から挟持する保持手段に比べ、振動等の外力に対する口金４３の落下防止信頼性をより向上させている。
【００３２】
なお、図例では一端部１７ａ，１９ａに段部６１，６１を形成し、段部６１，６１を口金４３の凸条５９，５９に係合する構成を示したが、係合手段５７はその他の構成とすることができる。例えば、凸条５９，５９を形成せず、口金４３の両側に形成した凹溝に段部６１，６１を嵌入する構成としてもよい。
【００３３】
次に、上記したランプソケット１００を備える照明器具２００を説明する。
図４は図１に示したランプソケットを備えた発明に係る照明器具の斜視図である。
照明器具２００は、蛍光ランプ１１の管軸Ｇに沿う方向に長尺の基台６３と、基台６３の長手方向両端に固定した上記ランプソケット１００，１００と、蛍光ランプ１１と、を備えてなる。一対のランプソケット１００，１００を備えた基台６３は、照明器具本体６５を構成する。照明器具本体６５に蛍光ランプ１１が装着されて照明器具２００が構成される。照明器具本体６５のソケット本体１３に装着された蛍光ランプ１１は、挟持杆１７，１９にてランプソケット１００からの脱落が規制されて保持される。
【００３４】
図５は図４に示した照明器具の分解斜視図である。
基台６３に固定される一対の挟持杆１７，１９は、他端部１７ｂ，１９ｂを蛍光ランプ１１の長さ方向の範囲内に配置する。したがって、他端部１７ｂ，１９ｂを操作する際には、蛍光ランプ１１越に他端部１７ｂ，１９ｂを手指（例えば親指と人差し指）で掴む。つまり、他端部１７ｂ，１９ｂを掴んでループ状となった親指と人差し指の輪の中に直管蛍光管４７が配置される。
【００３５】
図６は図５に示した蛍光ランプの斜視図である。
蛍光ランプ１１は、直管蛍光管４７の両端付近において、円周方向の一部分に外側へ突出する口金４３を有している。口金４３は、上記した凸条５９，５９を両側面６７，６７に有し、樹脂材により一体成形される。口金４３の上面６９にはランプピン２５，２５が突出し、上面６９はソケット本体１３の口金当接面４５に当接する。口金４３の両側面６７，６７に挟まれる端面７１には直管蛍光管４７の端面に延出する薄厚の延出板７３が形成され、延出板７３は隣接する蛍光ランプ１１の直管蛍光管４７同士の衝接による破損を防止する。
【００３６】
挟持杆１７，１９は、支持軸２３を介して基板１５に固定されることで、一端部１７ａ，１９ａが基板１５から所定高さ離間される。この離間距離は、図４に示すように、ソケット本体１３に装着された口金４３の凸条５９，５９に、段部６１，６１が丁度係合する位置となる。したがって、ランプピン２５，２５がピン挿入孔２９，２９に完全に進入し、口金当接面４５に口金上面６９が確実に当接した状態で、はじめて段部６１，６１が凸条５９，５９に係合する。これにより、係合手段５７の口金４３に対する不完全係合状態が確認できるようになっている。
【００３７】
次に、蛍光ランプ１１を照明器具本体６５に着脱する動作について説明する。
図７は図４に示した照明器具の蛍光ランプ着脱時の要部斜視図である。
蛍光ランプ１１を装着するには、親指と人差し指との間に直管蛍光管４７を入れて、照明器具本体６５のランプソケット１００に口金４３を近づける。挟持杆１７，１９の係合手段５７に口金４３の凸条５９，５９が近接したなら、直管蛍光管４７を内側に入れた親指と人差し指で、直管蛍光管４７越に挟持杆１７，１９の他端部１７ｂ，１９ｂを掴む。
【００３８】
他端部１７ｂ，１９ｂが掴まれ、矢印ａ方向に移動されると、一端部１７ａ，１９ａが矢印ｂ方向に離反し、凸条５９，５９が係合手段５７，５７同士の間に進入可能となる。この状態で、口金４３のランプピン２５，２５を、ソケット本体１３のピン挿入孔２９，２９に挿入し、口金４３の上面６９を口金当接面４５に密接する。
【００３９】
口金当接面４５に対する口金４３の当接が完了したなら、他端部１７ｂ，１９ｂを掴む力を解除する。力が解除されると、挟持杆１７，１９の他端部１７ｂ，１９ｂは、コイルスプリング２１の弾性復元力により離反方向に移動され、その結果、一端部１７ａ，１９ａ同士が接近方向に移動される。
【００４０】
一端部１７ａ，１９ａが接近すると、段部６１，６１が凸条５９，５９の下方に係合する。これにより、口金４３は、挟持杆１７，１９の係合手段５７と口金当接面４５とに上下方向から保持されて移動が規制される。また、口金４３は、一端部１７ａ，１９ａにより両側面６７，６７が挟持されることで、幅方向（ランプピン２５，２５の離間方向）の移動も規制される。なお、蛍光ランプ１１は、ピン挿入孔２９，２９が管軸Ｇの方向に長穴であることから、管軸Ｇの方向には微少距離移動可能となる。これにより、複数本の蛍光ランプ１１を直線状に連続配置した際の装着誤差が吸収可能となっている。
【００４１】
一方、蛍光ランプ１１の交換やメンテナンス時に、蛍光ランプ１１を照明器具本体６５から脱着するには、直管蛍光管４７を親指と人差し指の間に入れて、直管蛍光管４７越に挟持杆１７，１９の他端部１７ｂ，１９ｂを掴む。他端部１７ｂ，１９ｂが掴まれて矢印ａ方向に接近されると、一端部１７ａ，１９ａが矢印ｂ方向へ移動され、段部６１，６１と凸条５９，５９の係合が解除される。係合が解除された口金４３は、ソケット本体１３からの脱着が可能となる。この際、自重により口金４３がソケット本体１３から落下しても、直管蛍光管４７が親指と一差し指の間に入る。つまり、落下した蛍光ランプ１１は必ず掌の中に入る。
【００４２】
このように、ランプソケット１００では、ソケット本体１３の口金当接面４５に設けられたピン挿入孔２９，２９にランプピン２５，２５が挿入されて蛍光ランプ１１が取り付けられると、一対の挟持杆１７，１９の一端部１７ａ，１９ａ同士が近接して口金４３のソケット本体１３からの落下が阻止される。つまり、蛍光ランプ１１は、ランプピン２５，２５をソケット本体１３に導通接続した状態でランプソケット１００に保持される。
【００４３】
一対の挟持杆１７，１９は、コイルスプリング２１によって一端部１７ａ，１９ａ同士が近接配置されているので、付勢力に抗する解除操作力が加えられない限り、ソケット本体１３からの口金４３の離脱が確実に阻止される。一方、一対の挟持杆１７，１９の他端部１７ｂ，１９ｂ同士がコイルスプリング２１の付勢力に抗し手指によって近接方向に掴まれると、一端部１７ａ，１９ａ同士が離反方向へ開き、口金４３の保持が容易に解除可能となる。
【００４４】
また、ランプソケット１００を備えた照明器具２００では、蛍光ランプ１１を管軸Ｇの方向に動かす必要がなくなり、直管蛍光管４７が管軸Ｇの方向に連続設置可能となる。これにより、隣接する蛍光ランプ１１，１１同士の境目をなくして、一本の光源としてつながる見栄えの良い照明を得ることができる。また、挟持杆１７，１９を操作する際には蛍光ランプ１１越に他端部１７ｂ，１９ｂを手指で掴むので、作業中に万が一蛍光ランプ１１が落下しても、蛍光ランプ１１が必ず掌の中に入り、落下による蛍光ランプ１１の破損を確実に防止できる。
【００４５】
（第２実施形態）
次に、第２実施形態に係るランプソケット１００Ａ、照明器具２００Ａについて説明する。
図８は本発明の第２実施形態に係るランプソケットを備えた照明器具の要部斜視図である。なお、前述した第１実施形態に係る照明器具と共通する部位には同じ符号を付して、重複する説明を省略することとする。
第２実施形態にかかるランプソケット１００Ａ、照明器具２００Ａは、口金４３Ａを下方から押し付けることにより、近接した一端部１７Ａａ，１９Ａａ同士を、コイルスプリング２１の付勢力に抗して離反方向へ移動させるテーパー面７５，７５が、一端部１７Ａａ，１９Ａａに形成される。
【００４６】
テーパー面７５，７５は、一端部１７Ａａ，１９Ａａ同士の下面に設けられ、挟持端（内側対向端）に向かって上向きとなるテーパー面にて形成される。したがって、テーパー面７５，７５に口金４３Ａが下方から押し付けられると、一端部１７Ａａ，１９Ａａを離反させる方向の分力が生じる。
【００４７】
図９は（Ａ）は図８に示したランプソケットの蛍光ランプ装着前又は脱着後を管軸方向から見た正面図、（Ｂ）はその要部拡大図である。
口金４３Ａは、好ましくはテーパー面７５，７５と平行なテーパー面７７，７７を、凸条５９，５９の上面に有することが好ましい。これにより、口金４３Ａのテーパー面７５，７５に対する挿入性（直線挿入性）を良好にすることができる。
【００４８】
第２実施形態にかかるランプソケット１００Ａ、照明器具２００Ａでは、蛍光ランプ１１Ａの口金４３Ａが一対の挟持杆１７Ａ，１９Ａの一端部１７Ａａ，１９Ａａ同士に下方から押し付けられると、テーパー面７５，７５にて、一端部１７Ａａ，１９Ａａ同士を離反させる方向の分力が発生する。この際、他端部１７Ａｂ，１９Ａｂは、コイルスプリング２１の付勢力に抗して近接方向に移動される。離反した一端部１７Ａａ，１９Ａａ同士は、その間に口金４３Ａを受け入れ、口金４３Ａがソケット本体１３に当接すると、再びコイルスプリング２１の付勢力により閉じて口金４３Ａの落下規制位置へと移動する。つまり、他端部１７Ａｂ，１９Ａｂを掴む必要がなくなり、口金４３Ａのワンタッチでの装着が実現する。
【００４９】
したがって、上記構成のランプソケット１００（又は１００Ａ）によれば、中央部４９が回動自在に支持され、一端部１７ａ，１９（ａ又は１７Ａａ，１９Ａａ）同士で口金４３（又は４３Ａ）の落下を規制する挟持杆１７，１９（又は１７Ａ，１９Ａ）を、ソケット本体１３の固定される基板１５に垂直な支持軸２３を介して設けたので、蛍光ランプ１１（又は１１Ａ）の確実な保持、及び容易な脱着を可能にできる。
【００５０】
また、蛍光ランプ１１（又は１１Ａ）の口金４３（又は４３Ａ）と、ランプソケット１００（又は１００Ａ）に設けられた係合手段５７が嵌合することにより、確実に蛍光ランプ１１（又は１１Ａ）を保持でき、振動などによる蛍光ランプ１１（又は１１Ａ）の落下を防止することができる。また、係合手段５７により蛍光ランプ１１（又は１１Ａ）を保持するので、中途半端な蛍光ランプ１１（又は１１Ａ）の保持が発生しない。さらに、他端部１７ｂ，１９ｂ（又は１７Ａｂ，１９Ａｂ）を掴む近接操作により係合手段５７の係合を解除して、容易かつ確実な脱着を行うことができる。
【００５１】
上記構成の照明器具２００（又は２００Ａ）によれば、ランプソケット１００（又は１００Ａ）を、長尺基板１５の両端にそれぞれ固定し、挟持杆１７，１９（又は１７Ａ，１９Ａ）の他端部１７ｂ，１９ｂ（又は１７Ａｂ，１９Ａｂ）同士を蛍光ランプ１１（又は１１Ａ）の長さ方向の範囲内に配置して脱落を規制したので、蛍光ランプ１１（又は１１Ａ）の確実な保持、及び容易な脱着を可能にできるとともに、着脱時の落下を防止して安全性を高めることができる。
【符号の説明】
【００５２】
１１，１１Ａ  蛍光ランプ
１３  ソケット本体
１５  基板
１７，１９，１７Ａ，１９Ａ  挟持杆
１７ａ，１９ａ，１７Ａａ，１９Ａａ  一端部
１７ｂ，１９ｂ，１７Ａｂ，１９Ａｂ  他端部
２１  コイルスプリング（付勢部材）
２３  支持軸
２５  ランプピン
２９  ピン挿入孔（孔）
４３，４３Ａ  口金
４５  口金当接面
４７  直管蛍光管
４８  背面
４９  中央部
５７  係合手段
６３  基台
７５  テーパー面
１００，１００Ａ  ランプソケット
２００，２００Ａ  照明器具
【図１】
2010198782.tif 000003
【図２】
2010198782.tif 000004
【図３】
2010198782.tif 000005
【図４】
2010198782.tif 000006
【図５】
2010198782.tif 000007
【図６】
2010198782.tif 000008
【図７】
2010198782.tif 000009
【図８】
2010198782.tif 000010
【図９】
2010198782.tif 000011
【図１０】
2010198782.tif 000012